(57)【要約】
【課題】　絹製の帯を製作する場合、袋織り形式に構成される表側織地と裏側織地の間に帯芯を挿入する際、しなやかな絹袋帯に強力な絹帯芯を組合せた今までに無い構造を提供する。
【解決手段】
　袋表織地裏１ｂに撚り数下２３００ｔ／ｍ２７中×４本、上４３０ｔ／ｍ２７中×７本にて組合せ、２７／中４本×７本絹強撚糸にて構成された絹帯芯３を組み込み、袋帯地１の裏面に仕付け糸４により仕付け、絹袋帯地１よりも密度が濃厚な帯芯にて形成させる。
【選択図】　図１
0003100491.tif 000002
【実用新案登録請求の範囲】
【請求項１】
　絹袋帯地の裏面に撚り数下２３００ｔ／ｍ２７中×４本、上４３０ｔ／ｍ２７中×７本にて組合せ、２７／中４本×７本絹強撚糸にて構成した絹帯芯を組み込み、袋帯地の裏面に仕付け糸にて仕付け、絹袋帯をより強力に組合せ形成させる絹帯芯の構造。
【考案の詳細な説明】
【技術分野】
【０００１】　本考案は、絹帯芯の構造に関する。
【背景技術】
【０００２】　従来、絹製の帯を製作する場合に、袋織り形式に構成される表側織地と裏側織地の間に帯芯を挿入しなければならない。
　しかし、これらの帯芯は絹織りの表側織地と裏側織地の袋織り形式の中に、強い帯芯を仕付けなければならず、主として綿、麻、化学繊維、合成繊維とか、糊材加工糸とか、帯芯を絹紡糸で、またソフトで均一性の高い高級感のある絹不織布から帯芯地を形成したものであった。今まで一般に絹紡糸はあったが、正絹はまだ無い。【０００３】　従来の出願に裏織地に帯芯を接合したものがある（例えば、特許文献１参照。）。【０００４】　また、帯の表面に伸縮糸を用い、加熱により伸縮糸を収縮させてしぼ模様を帯表面に形成させ、帯芯地に伸縮性の無い、もしくは、低い布地を用いて裏側地全面に接合構成させ出願したものがある（例えば、特許文献２参照。）。【０００５】　以下、例えば、特許文献１における特許出願公告平０６−００２９６２号公報第４頁実施例、並びに図４、図６により従来の芯生地の仕付け方法について説明する。
　図４において例えば表織地１０１の表と裏織地１１３の表とを背中合わせにして両端部の耳部の内側を、縫い糸で縫い付け、次いで縫い合わせた裏織地１１３に帯芯１１７を巾方向の両端部で仕付け糸１２３により仕付けることにより仕立てられる。
　また、さらに、帯芯１１７の経糸、緯糸に絹糸を使用し、組成密度を粗くしたことにより、袋状の帯１１９は通気性良好となり、吸湿性が出て発汗することが無くなるとしたものであった。【０００６】　次に、特許文献２における特許出願公開２０００−２２００２３号公報要約の解決手段、並びに図１により従来の帯芯を組み込んだ帯について説明する。
　図１において例えば経糸２２１の一部又は全部、若しくは、緯糸の一部又は全部に伸縮糸２２２を用いて構成した織物地２０２の裏側に接合される芯地２０３を用いて帯２０１を縫製する。また、その帯２０１における織物地２０２の織り組織上に、加熱により伸縮糸２２２を収縮させてなるしぼ模様Ａを形成する。２０４は裏地である。
としたものであった。【０００７】
【技術文献１】
　　　特許出願公告平０６−００２９６２号公報　（第４頁、第４図、第６図）
【技術文献２】
　　　特許出願公開２０００−２２００２３号公報（要約の解決手段、第１図）
【考案の開示】
【考案が解決しようとする課題】
【０００８】　以上述べた従来の帯芯については、薄く密度を粗くしたことにより通気性、吸湿性がよくしたものである。（技術文献１参照）
　また、伸縮糸を用いて表織物地にしぼ模様が構成され帯地には伸縮性の無い布地を用いている袋帯を提供したものであった。（技術文献２参照）【０００９】　本考案は、このような従来の構成が示している形態、即ち、帯芯が薄い布地を用いたもとは異なり、本考案は帯芯に丹後織に主として用いられる強撚りの絹糸を使用し、帯芯が装着される袋帯は絹１００パーセント、金銀糸も使用されても良く、平織りの一重織形態にて形成され、裏地も絹にて形成された帯に、帯芯はしなやかで結ぶ際には確りした機能を持った帯を与えることを目的としたものである。
【課題を解決するための手段】
【００１０】　本考案は上記目的を達成する為に丹後にて使用されている絹繊維を用い、中に挿入する帯芯を精錬加工が施された撚りの強い撚糸を用い構成された伸縮性絹生地に、更に黄変防止と防臭カビ剤を付着し、絹の袋帯と絹の帯芯の滑りやすさを防止するためにすべり止め剤を入れ生糸層形態にて構成させたものである。
【考案の効果】
【００１１】　従来、多くの帯芯には綿とか化学繊維とかが用いられ、綿を使用した場合にはしなやかさが無く、カビが生ずる。また、絹はしなやかさで帯として結ぶのにとても良く、絹の方が綿よりも柔らかい。
　丹後チリメン織物等丹後地場産業を進展させる目的のため、丹後チリメン織り等に使用する絹の強燃糸を使用し、絹の袋帯は柔らかくしなやかな、しかし帯芯により確りした芯感を放出させ、しかも綿とは違った帯地と帯芯がフィットし易い効果を発揮させる。
【考案を実施するための最良の形態】
【００１２】　考案を袋帯に実施するための本考案の最良の形態として、帯芯に使用される絹糸を下記の生糸にて構成させる。
　　●経糸　生糸：２７／中３本にて構成。
　　●緯糸　生糸：２７／中４本×７本にて構成。
　　　　　　　　　　　但し　下２３００ｔ／ｍ２７中×４本
　　　　　　　　　　　　　　上　４３０ｔ／ｍ２７中×７本
　　　　　　　　　　　　　　打ち込み９本／曲
　　　　　　　　　　　　　　オサ　　２６．４羽（１００枚立）【００１３】　上記緯糸　生糸：２７中には　２７／中４本×７本
　　　　　　　　　　　　　　　　　　中４本×６本
　　　　　　　　　　　　　　　　　　中４本×５本
と種々選択することにより帯芯の目方並びに厚さの調整をしている。
【実施例】
【００１４】本考案の一実施例について添付図面を参照して説明する。【００１５】　図１の図面形態に加工する前に、まず上記記載の絹糸により、図２に示すように表織地表１ａに形成された図柄６を裏側とし、中に袋裏織地裏２ｂを内側に嵌めこみ仕立て糸５にて縫いつけ装着させる。
　次に袋帯地１の上下端のＵ字形端部内側に仕立て糸５にて縫い装着した裏帯地表２ａとＵ字形端部外側に帯芯３ａにて挟んで外側から仕付け糸５にて縫いつけ装着させる。
　仕立て糸４と５を別々にせず、一体に縫い付けても差し支えない。【００１６】　次に、全体を装着し揃え終わると裏面状態に形成された袋帯を全体を手にて表裏をひっくり返すと図柄６が表側に現われ、やっと図１の図柄形態に形成させる。
　これは昔から皆が行っている行為で、新規的な動作ではない。【００１７】　また、図１の図柄形態に形成させる行為として別な形成を行っている者もある。【００１８】　この別な形成は、図３に示すように、まず内面の袋表織地表１ａに図柄６を設定し、裏側とし、織製された袋帯表織地１ａの前面に帯芯表３ａを仕付け糸４にて縫いつけ装着させる。
　次に形成された袋帯を全体を手にて表裏をひっくり返すと図４に示すように図柄６が裏返って表側に現われ、やっと図１と同じ図柄形態に形成させる。【００１９】　この図４の形成された図柄形態の裏面に図１に示すように袋裏織地表２ａを仕付け糸５にて縫いつけ装着させる。【００２０】　上述した表裏をひっくり返す手順はいずれの手順を選択しても図１に示される形態に帰着し、作業選択は自由である。【００２１】　次に、図１に示された袋帯の長手左右両端部は図５に示されるように、袋表織地１と袋裏織地２は帯芯３より伸ばされ、先端部を７ａの綴じ糸にて閉じ、その後手にて押し込み７ｂの形態に構成させ、最後に綴じ糸７ｃにて袋帯に完成させる。【００２２】　かかる作業動作により帯芯がインプットされた本考案の袋帯が完成される。【００２３】　先願された技術文献１の特許出願公告平０６−００２９６２号は裏織地１１３に帯芯１１７を仕付け糸にて仕付けることにより仕立てられているが、本考案は袋表織地裏１ｂに撚り数下２３００ｔ／ｍ２７中×４本、上　４３０ｔ／ｍ２７中×７本にて組合わされ、２７／中４本×７本絹強撚糸にて構成された帯芯３を、袋帯地１の裏面に仕付け糸４により仕付けてあり、この構成は先願には見当たらない。しかも、袋帯地１よりも密度を濃厚に構成させた帯芯により従来に無い高級感のある和風帯が取得できたことは大きい。
【産業上の利用可能性】
【００２４】　絹チリメン織物で日本で有名な丹後産地で使用している絹撚糸を帯芯にも使用して、絹織物産地の発展、産業の維持に利用の可能性がある。
【図面の簡単な説明】
【００２５】
【図１】本考案に係る袋帯形態を示す斜視図
【図２】本考案の最初の縫製を示す斜視図
【図３】本考案の別の縫製を示す斜視図
【図４】本考案の別の次縫製を示す斜視図
【図５】本考案に係る袋帯の端面縫製を示す成形断面図
【図６】従来の帯芯の形態を示す斜視図
【符号の説明】
【００２６】１：袋帯地
１ａ：袋表織地表
１ｂ：袋表織地裏
２：袋裏織地
２ａ：袋裏織地表
２ｂ：袋裏織地裏
３：帯芯
３ａ：帯芯表
３ｂ：帯芯裏
４：仕立て糸
５：仕立て糸
６：図柄
７ａ、７ｂ、７ｃ：綴じ糸
１０１：表織地
１１３：裏織地
１１７：帯芯
１１９：袋状の帯
１２３：仕付け糸
２０１：帯
２０２：織物地
２０３：芯地
２０４：裏地
２２１：経糸
２２２：伸縮糸
【図１】
0003100491.tif 000003
【図２】
0003100491.tif 000004
【図３】
0003100491.tif 000005
【図４】
0003100491.tif 000006
【図５】
0003100491.tif 000007
【図６】
0003100491.tif 000008